(57)【特許請求の範囲】
【請求項１】
液体を収容する容器本体と、キャップ部と、前記容器本体内の液体を噴射するトリガーレバーを有するトリガースプレー部とからなるトリガースプレー容器に装着されるカバーであって、
少なくとも、天板と、両側板と、該両側板の前記キャップ部よりも前記トリガースプレー部の前部側に位置する部分を連結して前記トリガーレバーを覆う前底板と、前記両側板の前記キャップ部よりも前記トリガースプレー部の後部側に位置する部分を連結する後底板とを有し、前記前底板が、前記キャップ部又は前記容器本体の前部側に当接し、前記後底板が、前記トリガースプレー部の後部側に当接することにより、トリガースプレー容器に係止して固定され、前記前底板又は／及び前記後底板に折り曲げ部が設けられていることを特徴とするトリガースプレー容器用カバー。
【発明の詳細な説明】
【０００１】
【発明の属する技術分野】
本発明は、トリガースプレー容器の包装材として、トリガースプレー部に装着されるトリガースプレー容器用カバーに関するものである。
【０００２】
【従来の技術】
容器内の化粧液、整髪料、各種液体洗剤、仕上液、防カビ剤、消毒液、漂白液などの液体組成物を、トリガーレバーを引くことによって噴射することができるトリガースプレー容器は従来から多く使用されている。このトリガースプレー容器１は、図９−ａに示すように、概略として、容器本体２と、キャップ部３と、そしてトリガーレバー５を備えたトリガースプレー部４とから構成されている。
【０００３】
従来より、トリガースプレー容器１の製品の包装形態としては、一般的には、トリガースプレー容器１全体を収納する箱が使用されている。この箱では、製品説明、取扱方法などの情報の表示スペースを充分有しており、また、容器の転倒などにより、液体が噴霧されることを防止することができる。
【０００４】
しかしながら、近年の環境保護や省資源の点から、包装材料の使用量をできる限り低減させることが要請され、包装の簡素化が望まれている。
【０００５】
このような要請に対しては、トリガースプレー容器１の包装形態として、トリガースプレー部４に被せるスリーブ状のトリガースプレー容器用カバーが使用されている。また、特開平１１−１０００５８号公報では、図９に示すように、トリガースプレー部４から外れにくいトリガースプレー容器用カバーＣが提案されている。
【０００６】
【発明が解決しようとする課題】
しかしながら従来のトリガースプレー容器用カバーでは、それをトリガースプレー部４に装着する際に、トリガースプレー部４の後方からトリガースプレー容器用カバーを水平方向に押し込むことにより、トリガースプレー容器用カバーの底板曲線部内にキャップ部３を嵌入させ、トリガースプレー部４に係止し、固定させているために、トリガースプレー容器用カバーがトリガースプレー部４から容易に外れてしまうという問題がある。
また、特開平１１−１０００５８号公報で提案しているトリガースプレー容器用カバーＣは、トリガースプレー部４に確実に固定される形態ではあるが、トリガーレバー５を覆っていないため、外からトリガーレバー５が作動されることを防止する機能が不十分であるという問題がある。
【０００７】
本発明は以上のような課題を解決しようとするものであり、トリガースプレー容器１の包装形態として、トリガーレバー５が露出しないようにトリガースプレー容器１のトリガースプレー部４全体を包装材で覆い、外からトリガーレバー５が作動されることを防止する機能を持ち、かつ、製品説明、取扱方法等の情報の表示スペースも十分に確保でき、さらにトリガースプレー部４に簡単に、そして確実に装着固定できる新たな包装形態のトリガースプレー容器用カバーを提供することを目的とする。
【０００８】
【課題を解決するための手段】
上記の目的を達成するために、本発明は、液体を収容する容器本体と、キャップ部と、前記容器本体内の液体を噴射するトリガーレバーを有するトリガースプレー部とからなるトリガースプレー容器に装着されるカバーであって、少なくとも、天板と、両側板と、該両側板の前記キャップ部よりも前記トリガースプレー部の前部側に位置する部分を連結して前記トリガーレバーを覆う前底板と、前記両側板の前記キャップ部よりも前記トリガースプレー部の後部側に位置する部分を連結する後底板とを有し、前記前底板が、前記キャップ部又は前記容器本体の前部側に当接し、前記後底板が、前記トリガースプレー部の後部側に当接することにより、トリガースプレー容器に係止して固定され、前記前底板又は／及び前記後底板に折り曲げ部が設けられていることを特徴とするトリガースプレー容器用カバーである。
【００１１】
本発明によれば、外からトリガーレバーを作動されることを防止する機能を持ち、かつ、製品説明、取扱方法等の情報の表示スペースも十分に確保でき、さらにトリガースプレー部に簡単に、そして確実に装着固定できる新たな包装形態のトリガースプレー容器用カバーを提供することができる。
【００１２】
【発明の実施の形態】
以下、本発明の好ましい実施例を図面に基づいて具体的に説明する。なお、幾つかの図面に渡って同一または同様な部分には同一の符号を付けている。
【００１３】
図１は、本発明のトリガースプレー容器用カバーの第一の形態の一実施例のトリガースプレー容器用カバーＡとトリガースプレー容器１を示す斜視図であり、図２は、このトリガースプレー容器用カバーＡをトリガースプレー容器１に装着した状態を示す斜視図である。
【００１４】
図１に示すように、トリガースプレー容器１は、概略として、容器本体２と、キャップ部３と、そしてトリガーレバー５を備えたトリガースプレー部４とから構成されている。
【００１５】
一方、トリガースプレー容器用カバーＡは、板紙などからなるブランク１０を折り曲げて形成されたもので、天板１１、側板１２、１３、前底板１４、後底板１５とからなっている。また、前底板１４の両側に切り込み線１４Ａ、１６Ａを入れ、一部を、折り曲げ可能な折り曲げ部Ｐ１としている。そして、図２に示すように、このトリガースプレー容器用カバーＡを、上記のトリガースプレー容器１のトリガースプレー部４の全体を覆う形で被せることができる。このトリガースプレー容器用カバーＡによって、トリガーレバー５を含むトリガースプレー部４全体を覆うことができ、トリガーレバー５を外から作動させることを防ぐことができる。
【００１６】
図３は、本発明のトリガースプレー容器用カバーＡのブランクを示している図である。
ブランク１０は、まず、長方形の天板１１と、その天板１１の両側に折れ線ａを介して、側板１２、１３を連設している。この側板１２、１３は、平面で線対称の形であり、組み立てた時には、相対して同形となっている。側板１２、１３の天板１１側の辺と反対側の辺が、前部側、中部側、後部側の三部分に分けられ、前部側の辺１２Ａ、１３Ａと後部側の辺１２Ｃ、１３Ｃは、天板１１側の辺と平行であり、天板１１側の辺に遠い前部側の辺１２Ａ、１３Ａと、天板１１側の辺に近い後部側の辺１２Ｃ、１３Ｃとに段差があり、中部側の辺１２Ｂ、１３Ｂがその段差を結ぶ形となっている。この中部側の辺１２Ｂ、１３Ｂは、必ずしも直線でなくてもよい。そして、側板１２の前部側の辺１２Ａに折れ線ｂを介して長方形の前底板１４を連設し、側板１２の後部側の辺１２Ｃに折れ線ｃを介して長方形の後底板１５を連設し、また、側板１３の前部側１３Ａの辺に折れ線ｄを介して前糊代板１６を連設し、側板１３の後部側の辺１３Ｃに折れ線ｅを介して後糊代板１７を連設している。そして、前糊代板１６は前底板１４の裏側に貼着され、前底板１４が両側板１２、１３の前部側に位置する部分を連結している。また、後糊代板１７は後底板１５の裏側に貼着され、後底板１５が両側板１２、１３の後部側に位置する部分を連結している。
【００１７】
なお、前糊代板１６を前底板１４に、後糊代板１７を後底板１５に連設し、前糊代板１６および後糊代板１７を側板１２に貼着して連結することもできる。
【００１８】
また、前底板１４と側板１２との折れ線ｂに内側より切り込み線１４Ａを入れ、前底板１４の一部を折れ線ｆを介して折り曲げ可能な折り曲げ部１４Ｂとし、前糊代板１６と側板１３との折れ線ｄに内側より切り込み線１６Ａを入れ、前糊代板１６の一部をを折れ線ｇを介して折り曲げ可能な折り曲げ部１６Ｂとする。組み立てた時には、前底板１４と前糊代板１６を重ね合わせることによって、折り曲げ部１４Ｂと折り曲げ部１６Ｂとが一体となって折り曲げ部Ｐ１となり折り曲げることができる。
【００１９】
また、後底板１５と側板１２との折れ線ｃあるいは後糊代板１７と側板１３との折れ線ｅをミシン目、半切れなどとすることが好ましい。この折れ線ｃあるいは折れ線ｅを切り取りやすくすることで、トリガースプレー容器１を使用する時に、トリガースプレー容器用カバーＡをこの折れ線ｃあるいは折れ線ｅで切り取り簡単に解体することができる。
【００２０】
本発明のトリガースプレー容器用カバーＡは、以上のように構成されブランク１０からつぎのような手順で組み立てられる。
【００２１】
まず、ブランク１０は、図４−ａに示した状態から、前糊代板１６を折れ線ｄで、後糊代板１７を折れ線ｅで内側に折り返し、図４−ｂに示した状態とする。つぎに、側板１２を折れ線ａにより内側に折り返し、前底板１４を前糊代板１６に、後底板１５を後糊代板１７に重ね合わせて、接着することによって、折り畳まれた図４−ｃに示した状態の本発明のトリガースプレー容器用カバーが組み立てられる。この状態で、使用前の輸送、保管などを行う。この組み立ては、自動製函機で機械的に製造することが可能である。
【００２２】
実際に、本発明のトリガースプレー容器用カバーＡをトリガースプレー容器１に装着するには、まず、図５−ａに示すように、前底板１４の一部の折り曲げ部Ｐ１を外側に折り曲げ、挿入口を広くし、トリガースプレー部４を前部側から挿入しながら、トリガースプレー部４の全体を覆う、この時、図５−ｂに示すように、後底板１５の内側の辺が、トリガースプレー部４の後部側に当接している。つぎに、折り曲げ部Ｐ１を元に戻し、キャップ部３または容器本体２の前部側に当接することによって、トリガースプレー容器用カバーＡをトリガースプレー容器１に確実に装着することができる。
【００２３】
実際に、トリガースプレー容器１を使用する時に、トリガースプレー容器用カバーＡをトリガースプレー容器１から取り外すには、図６−ａに示すように、まず、後底板１５を引き破る。この際、折れ線ｃ、折れ線ｅにミシン目などが施されているため、引き裂くことが容易にでき、トリガースプレー容器用カバーＡを解体することができる。そして、図６−ｂに示すように、トリガースプレー容器用カバーＡをトリガースプレー容器１から簡単に取り外すことができる。
【００２４】
図７は、本発明のトリガースプレー容器用カバーの第二の形態の一実施例のトリガースプレー容器用カバーＢのブランクを示している図である。
ブランク２０は、トリガースプレー容器用カバーＡのブランク１０と同様に、長方形の天板１１と、その天板１１の両側に折れ線ａを介して、側板１２、１３を連設している。そして、側板１２の前部側の辺に折れ線ｂを介して長方形の前底板１４を連設し、側板１２の後部側の辺に折れ線ｃを介して長方形の後底板１５を連設している。また、側板１３の前部側の辺に折れ線ｄを介して後糊代板１６を連設し、側板１３の後部側の辺に折れ線ｅを介して後糊代板１７を連設している。そして、前糊代板１６は前底板１４の裏側に貼着され、前底板１４が両側板１２、１３の前部側に位置する部分を連結している。また、後糊代板１７は後底板１５の裏側に貼着され、後底板１５が両側板１２、１３の後部側に位置する部分を連結している。
【００２５】
なお、この第二の形態においても第一の形態と同様に、前糊代板１６を前底板１４に、後糊代板１７を後底板１５に連設し、前糊代板１６および後糊代板１７を側板１２に貼着して連結することもできる。
【００２６】
また、後底板１５と側板１２との折れ線ｃに内側より切り込み線１５Ｃを入れ、後底板１５の一部を折れ線ｈを介して折り曲げ可能な折り曲げ部１５Ｄとし、後糊代板１７と側板１３との折れ線ｅに内側より切り込み線１７Ｃを入れ、後糊代板１７の一部を折れ線ｉを介して折り曲げ可能な折り曲げ部１７Ｄとする。組み立てた時には、後底板１５と後糊代板１７を重ね合わせることによって、折り曲げ部１５Ｄと折り曲げ部１７Ｄとが一体となった折り曲げ部Ｐ２を折り曲げることができる。
【００２７】
また、前底板１４と側板１２との折れ線ｂあるいは前糊代板１６と側板１３との折れ線ｄをミシン目、半切れなどとすることが好ましい。この折れ線ｂあるいはｄを切り取りやすくすることで、トリガースプレー容器１を使用する時に、トリガースプレー容器用カバーＢをこの折れ線ｂあるいは折れ線ｄで切り取り簡単に解体することができる。
【００２８】
本発明のトリガースプレー容器用カバーＢは、以上のように構成されブランク２０からトリガースプレー容器用カバーＡと同様な手順で組み立てられる。
【００２９】
実際に、本発明のトリガースプレー容器用カバーＡをトリガースプレー容器１に装着するには、まず、図８−ａに示すように、後底板１５の一部の折り曲げ部Ｐ２を外側に折り曲げ、挿入口を広くし、トリガースプレー部４を前部側から挿入しながら、トリガースプレー部４の全体を覆う、この時、図８−ｂに示すように、前底板１４の内側の辺が、容器本体２またはキャップ部３の前部側に当接している。つぎに、折り曲げ部１５Ｂを元に戻し、トリガースプレー部４の後部側に当接することによって、トリガースプレー容器用カバーＡをトリガースプレー容器１に確実に装着することができる。
【００３０】
本発明のトリガースプレー容器用カバーの特徴は、前底板１４が側板１２の前部側と側板１３の前側を結び、後底板１５が側板１２の後部側と側板１３の後側を結んでおり、側板１２、１３の中部側がトリガースプレー部４を挿入する挿入口となっている。そして、天板１１と、側板１２、１３と、前底板１４とで、トリガーレバー５を含むトリガースプレー部４の前部を覆うことができることである。
【００３１】
また、第一の形態のトリガースプレー容器用カバーＡでは、前底板１４の折れ線ｂおよび前糊代板１６の折れ線ｄに切り込み線１４Ａ、１６Ａを入れ、この先端同志を折れ線ｆ、折れ線ｇとして、前底板１４および前糊代板１６の一部を折り曲げ部Ｐ１として折り曲げ可能としていることである。
【００３２】
また、第二の形態のトリガースプレー容器用カバーＢでは、後底板１５の折れ線ｃおよび後糊代板１７の折れ線ｅに切り込み線１５Ｃ、１７Ｃを入れ、この先端同志を折れ線ｈ、折れ線ｉとして、後底板１５および後糊代板１７の一部を折り曲げ部Ｐ２として折り曲げ可能としていることである。
【００３３】
この折り曲げ部Ｐ１あるいは折り曲げ部Ｐ２を外側に折り曲げることにより、トリガースプレー部４を容易にトリガースプレー容器用カバーＡあるいはトリガースプレー容器用カバーＢに挿入することができ、簡単にトリガースプレー部４全体を覆って被せることができる。そして、被せた後、折り曲げ部Ｐ１あるいは折り曲げ部Ｐ２を元に戻し、容器本体２またはキャップ部３の前部側あるいはトリガースプレー部４の後部側に当接し、トリガースプレー容器１に確実に装着することができることである。
【００３４】
また、第三の形態として、第一の形態のトリガースプレー容器用カバーＡにおける前底板１４および前糊代板１６の一部に設けた折り曲げ部Ｐ１と、第二の形態のトリガースプレー容器用カバーＢにおける前底板１４および前糊代板１６の一部に設けた折り曲げ部Ｐ２との両方を設けた形態とすることができる。
【００３５】
【発明の効果】
本発明によれば、トリガースプレー容器の包装形態として、トリガーレバーが露出しないようにトリガースプレー容器のトリガースプレー部全体を包装材で覆い、外からトリガーレバーを作動されることを防止する機能を持ち、かつ、製品説明、取扱方法等の情報の表示スペースも十分に確保でき、さらにトリガースプレーヤーに簡単に、そして確実に装着固定できる新たな包装形態のトリガースプレー容器用カバーを得ることができる。
【図面の簡単な説明】
【図１】本発明によるトリガースプレー容器用カバーの第一の形態の一実施例とトリガスプレー容器を示す斜視図である。
【図２】本発明によるトリガースプレー容器用カバーの第一の形態の一実施例をトリガスプレー容器に装着した状態を示す斜視図である。
【図３】本発明によるトリガースプレー容器用カバーの第一の形態の一実施例のブランクを示す図である。
【図４】本発明によるトリガースプレー容器用カバーの第一の形態の一実施例を組み立てる過程を示す概略図である。
【図５】本発明によるトリガースプレー容器用カバーの第一の形態の一実施例をトリガスプレー容器に装着する過程を示す斜視図である。
【図６】本発明によるトリガースプレー容器用カバーの第一の形態の一実施例をトリガスプレー容器から取り外す過程を示す斜視図である。
【図７】本発明によるトリガースプレー容器用カバーの第二の形態の一実施例のブランクを示す図である。
【図８】本発明によるトリガースプレー容器用カバーの第二の形態の一実施例をトリガスプレー容器に装着する過程を示す斜視図である。
【図９】従来のトリガースプレー容器用カバーとトリガスプレー容器を示す斜視図である。
【符号の説明】
Ａ    本発明のトリガースプレー容器用カバー（第一の形態）
Ｂ    本発明のトリガースプレー容器用カバー（第二の形態）
Ｃ    従来のトリガースプレー容器用カバー
１    トリガースプレー容器
２    容器本体
３    キャップ部
４    トリガースプレー部
５    トリガーレバー
１０    ブランク（第一の形態のトリガースプレー容器用カバーＡの）
１１    天板
１２    側板
１３    側板
１４    前底板
１４Ａ  切り込み線
１４Ｂ  折り曲げ部
１５    後底板
１５Ａ  切り込み線
１５Ｂ  折り曲げ部
１６    前糊代板
１６Ａ  切り込み線
１７    後糊代板
１７Ａ  切り込み線
Ｐ１  折り曲げ部
Ｐ２  折り曲げ部
２０    ブランク（第二の形態のトリガースプレー容器用カバーＢの）
ａ〜ｉ  折れ線
【図１】
0004303835.tif 000002
【図２】
0004303835.tif 000003
【図３】
0004303835.tif 000004
【図４】
0004303835.tif 000005
【図５】
0004303835.tif 000006
【図６】
0004303835.tif 000007
【図７】
0004303835.tif 000008
【図８】
0004303835.tif 000009
【図９】
0004303835.tif 000010